(57)【要約】【課題】  従来の遠心機に用いられているスライドドア機構はローラの間隔が短い場合、ドアが傾きやすい問題があった。本発明はスライドドア機構を有する遠心機において、ドアを不具合無く容易に開閉でき、長寿命化を図ることを技術的課題としている。【解決手段】  筐体と、該筐体に配置された駆動装置と、該駆動装置によって回転駆動される回転体と、該回転体を覆うチャンバーによって形成される回転体室と、該回転体室上部に有する開口部とを有し、該開口部付近に配置されたレールと、該レールに沿って動くドアとからなるスライドドア機構を有する遠心機において、前記ドアに突起部を設け、該ドアの傾きを制限することで達成できる。【選択図】  図２
2006247508.tif 000002
【特許請求の範囲】
【請求項１】
筐体と、該筐体に配置された駆動装置と、該駆動装置によって回転駆動される回転体と、該回転体を覆うチャンバーによって形成される回転体室と、該回転体室上部に有する開口部とを有し、該開口部付近に配置されたレールと、該レールに沿って動くドアとからなるスライドドア機構を有する遠心機において、前記ドアに突起部を設け、該ドアの傾きを制限することを特徴とする遠心機。
【請求項２】
前記突起部を前記ドアの側面に設けたことを特徴とする請求項１記載の遠心機
【請求項３】
前記突起部にテ―パ部を設けたことを特徴とする請求項１、２記載の遠心機。
【請求項４】
前記突起部を前記ドアの上面又は底面に設けたことを特徴とする請求項１記載の遠心機。
【請求項５】
前記突起部を前記レールに設けたことを特徴とする請求項１記載の遠心機。
【発明の詳細な説明】
【技術分野】
【０００１】
本発明は、医学、薬学、農学等に利用する遠心機に関するものである。
【背景技術】
【０００２】
スライドドア機構は遠心機本体の上面に開口部を有する回転体室、開口部の両脇に設けられたレール、開口部を開閉する平板状のドアなどから構成される。開口部の外周にはドア閉鎖時に回転体室を密封するためパッキンが取付けてある。レールには溝が設けてある。ドアは両側面にはローラが各２個取付けてあり、ドア移動時には４個のローラ４がドアの重量を支え、レールを走行する。ここで、ドアとパッキンは干渉防止のため、ドアの底面は移動時においてレール上面と一致する位置に、パッキンはレール上面よりも低い位置としてある。ドア閉鎖時にはローラは全て溝に落ち、ドアの底面はパッキンと密着し回転体室は密封される。
従来の技術として、遠心機のスライドドア機構は、遠心機の省スペース化、コスト削減などの理由から、特開平４−３４６８５５の図２〜図４に示すように、ドアを開ける方向側に実装するローラ２個をドアの重心位置よりも他端２個のローラ側に近づけ、且つローラの上側にもレールを設けるために、レールはコの字の形状にしている。ドアが閉まっている状態では４個のローラは全てレールの溝に落ちるが、ドアが移動しローラがレール上に乗った場合は、重心側のローラを支点にしてドアの他端ローラ側が浮き上がり、上端のレールにあたる。つまり、重心側に近いのローラがレール下側を走行し、他端側ローラがレール上側を走行する。この作用により、他端のローラが走行中に重心側の溝に落ちることなく、さらにレールの長さをできるだけ短くしている。
【０００３】
上述した従来の技術では重心側に近いローラと他端側のローラとの間隔が短いため、ドアは左右方向に傾きやすくなってしまう。ローラの側面とレールの側壁との隙間が大きい場合は、ドアは左右方向に大きく傾き、ドアを開ける場合などは、ドアの進行方向側の底面はレール上に乗り上げ、開閉が困難になる場合があった。また、ローラ側面とレールの隙間を小さくしすぎると、ローラ側面とレールが接触し易くなりローラの磨耗が激しく短寿命となる場合があった。
【０００４】
【特許文献１】特開平４−３４６８５５号公報
【発明の開示】
【発明が解決しようとする課題】
【０００５】
本発明はスライドドア機構を有する遠心機において、ドアを不具合無く容易に開閉でき、長寿命化を図ることを技術的課題としている。
【課題を解決するための手段】
【０００６】
上記目的は、筐体と、該筐体に配置された駆動装置と、該駆動装置によって回転駆動される回転体と、該回転体を覆うチャンバーによって形成される回転体室と、該回転体室上部に有する開口部とを有し、該開口部付近に配置されたレールと、該レールに沿って動くドアとからなるスライドドア機構を有する遠心機において、前記ドアに突起部を設け、該ドアの傾きを制限することで達成できる。
【０００７】
さらに、前記突起部を前記ドアの側面に設けることで達成できる。
【０００８】
さらに、前記突起部にテ―パ部を設けることで達成できる。
【０００９】
さらに、前記突起部を前記ドアの上面又は底面に設けることで達成できる。
【００１０】
さらに、前記突起部を前記レールに設けることで達成できる。
【発明の効果】
【００１１】
本発明では、ドアを不具合無く容易に開閉でき、長寿命な遠心機のスライドドア機構を提供することができる。
【発明を実施するための最良の形態】
【００１２】
本発明の一実施例について図面を参照しながら説明する。
【００１３】
図１は本発明の遠心機の断面図である。
【００１４】
遠心機３０は、略箱型をした筐体３１を有し、筐体３１の内部には回転体（ロータ）３２を回転駆動するための駆動装置３３を備えている。駆動装置３３の上方にはチャンバー３４によって形成される空間すなわち回転体室１が設けられ、その中に回転体３２が配置される。回転体室１の上方には回転体を出し入れするための開口部１０が設けてあり、さらにその上方には、開口部１０を塞ぐことのできるドア３が設けられている。
図２は本発明の一実施例を示すスライドドア機構２０の部分拡大平面図および部分拡大横断面図である。スライドドア機構２０は上面に開口部１０を有する回転体室１と、開口部１０の両脇に設けられた２本のレール２と、開口部１０を開閉する平板状のドア３から主に構成される。
【００１５】
開口部１０の外周にはドア３閉鎖時に回転体室１を密封するためパッキン８が取付けてある。レール２の断面は略コの字の形状をしており、レール２の下段部２ｄには２個の溝９が設けてある。ドア３は上面にハンドル６が取付けてあり、ハンドル６を押し引きすることで開口部１０を開閉する。また、ドア３の両側面にはローラ４が各２個取付けてあり、ドア３移動時には４個のローラ４がドア３の重量を支え、レール２を走行する。
【００１６】
ここで、ローラ４は、ドア移動時にドア３の底面３ａがレール２の下段部２ｄの面２ａと一致する位置になるよう配置されており、パッキン８はレール２下段部２ｄの面２ａよりも低い位置となっている。これはドア３移動時にドア３の底面３ａとパッキン８との間にある程度の隙間を持たせ、干渉を防止し、パッキン８のシール部を傷つけるのを防止するためである。
【００１７】
また、４個のローラ４の内２個のローラ４ｂをドアの重心位置よりも他端１１側の２個のローラ４ａに近づけて配置する。これにより、ドア３の重心位置に近いローラ４ｂを支点にしてドアの他端１１側のローラ４ａが浮き上がり、レール２の上段部２ｅの面２ｆと接触させている。
【００１８】
更にドア３の両側面には突起部（ストッパ部）５ａが取付けてあり、突起部（ストッパ部）５ａにはテーパ部７が設けてある。ドア３閉鎖時おいてローラ４は全て溝９に落ち、ドア３の底面はパッキン８と密着し回転体室１は密封される。
【００１９】
図３は図２におけるドア移動時の傾きを示す平面図である。ドア３はローラ４とレール２の側面２ｂの隙間から傾きが生じる。このとき、ドア３の傾きは突起部（ストッパ部）５ａとレール２側面２ｂが接触することにより制限され、ドア３の底面３ａがレール２下段の上面に乗り上げるのを防止できる。
図４は図２におけるドア閉鎖動作時の傾きを示す平面図である。ドア３の移動に伴い、突起部（ストッパ部）５ａのテーパ部７とレール２の側面２ｂの端面２ｇとが当接する。このとき、ドア３の傾きは突起部（ストッパ部）５ａのテーパ部７に沿って移動し傾きを修正される。この作用によりドア３は２つのレール２の間に案内される。
【００２０】
図５は本発明の他の実施例を示す平面図および横断面図である。レール２は略コの字の形状をしており、レール２の下段部２ｄには２個の溝９が設けてある。また、レール２の後端には円筒状の突起部（ストッパ部）５ｃが設けてあり、外周面がレール２の縁と一致する位置に配置してある。ドア３は、上面にハンドル６、両側面にローラ４が各２個取付けてあり、底面３ａの後端１２の両角部には円筒状の突起部（ストッパ部）５ｂが取付けてある。ここで、突起部（ストッパ部）５ｂの外周面はドア３の縁と一致する位置に配置してある。
【００２１】
図６は図５におけるドア後端がレール長の範囲内に位置する場合のドアの傾きを示す平面図である。ドア３はローラ４とレール２の側面２ｂとの隙間から傾きが生じる。このとき、ドア３の傾きは突起部（ストッパ部）５ｂとレール２の下段部２ｄの側面２ｃが接触することにより制限され、ドア３の底面３ａがレール２下段部２ｄの面２ａに乗り上げるのを防止できる。尚、底面３ａの後端の両角部に設けた円筒状の突起部（ストッパ部）５ｂはドア３の上面３ｂ側に配置しても同様の効果を得ることができる。
【００２２】
図７は図５におけるドア後端１２がレール２より突出した場合のドア傾きを示す平面図である。ドア３はローラ４とレール２の側面２ｂとの隙間からから傾きが生じる。このとき、ドア３の傾きは突起部（ストッパ部）５ｃとドア３の側面３ｃが接触することにより制限され、ドア３の底面３ａがレール２の下段部２ｄの面２ａに乗り上げるのを防止することができる。
【図面の簡単な説明】
【００２３】
【図１】本発明の遠心機の断面図である。
【図２】本発明の一実施例を示す遠心機用スライドドア機構の平面図および横断面図。
【図３】図２におけるドア移動時の傾きを示す平面図。
【図４】図２におけるドア閉鎖動作時の傾きを示す平面図
【図５】本発明の他の実施例を示す遠心機用スライドドア機構の平面図および横断面図。
【図６】図５におけるドア後端がレール長の範囲内に位置する場合のドア傾きを示す平面図
【図７】図５におけるドア後端がレール長の範囲外に位置する場合のドア傾きを示す平面図
【符号の説明】
【００２４】
図において、１は回転体室、２はレール、３はドア、４はローラ、５は突起部（ストッパ部）、６はハンドル、７はテーパ部、８はパッキン、９は溝、１０は開口部、２０はスライドドア機構、３０は遠心機である。
【図１】
2006247508.tif 000003
【図２】
2006247508.tif 000004
【図３】
2006247508.tif 000005
【図４】
2006247508.tif 000006
【図５】
2006247508.tif 000007
【図６】
2006247508.tif 000008
【図７】
2006247508.tif 000009